(57)【特許請求の範囲】
【請求項１】
ダクト等に接続される筒状部を設け、外壁面側に設けられるベース部と、このベース部の室外側に下方に開口部が形成されるように設けたフード部とにより形成される外壁端末換気口の本体と、前記ベース部の下端に設けた水切板と、前記開口部の近傍に設けた整流手段とを備え、この整流手段は、前記本体内を通る排気流が外壁面より遠ざかる方向に流れるように傾斜した主整流板を、ベース部に設けるとともに、この主整流板の室外側となる前記開口部近傍に、前記主整流板より大きい形状で室外側に向けて傾斜する副整流板を設けて構成した外壁端末換気口。
【請求項２】
整流手段を、本体開口部近傍に着脱自在に設けた請求項１に記載の外壁端末換気口。
【発明の詳細な説明】
【技術分野】
【０００１】
本発明は、住宅等の室内空気を換気するときに建物の外壁部分に設置される外壁端末換気口に関する。
【背景技術】
【０００２】
従来、この種の外壁端末換気口の一例としてフードの下方開口にガラリを設けた換気フードが知られている（例えば、特許文献１参照）。
【０００３】
以下、その外壁端末換気口について図１４および図１５を参照しながら説明する。
【０００４】
図に示すように、換気フード１０１は建物の壁１０２に設けられた通風口１０３の屋外側に嵌着され、下方に開口を有し、通風口１０３を覆うフード１０４を有し、換気フード１０１はダクト接続部１０５、本体１０６、フード１０４、ガラリ１０７、水切板１０８で構成しガラリ１０７の端部をねじ１０９で固定している。
【先行技術文献】
【特許文献】
【０００５】
【特許文献１】特開平１１−２８１１１２号公報（［００１０］、図１、図３）
【発明の概要】
【発明が解決しようとする課題】
【０００６】
このような従来の外壁端末換気口では、換気フード１０１に設けられるガラリ１０７は、換気フード１０１内に送られた排気流をガラリ１０７により壁１０２より遠ざかる方向に整流するものではないので、建物の壁１０２側にも流れることとなり、排気流に含まれる汚染物により建物の壁１０２が汚染されるという課題があり、建物の壁１０２が排気流により汚染されないことが要求されている。
【０００７】
本発明は、このような従来の課題を解決するものであり、建物の壁の汚れを軽減できる外壁端末換気口を提供することを目的としている。
【課題を解決するための手段】
【０００８】
本発明の外壁端末換気口は上記目的を達成するために、ダクト等に接続される筒状部を設け、外壁面側に設けられるベース部と、このベース部の室外側に下方に開口部が形成されるように設けたフード部とにより形成される外壁端末換気口の本体と、前記ベース部の下端に設けた水切板と、前記開口部の近傍に設けた整流手段とを備え、この整流手段は、前記本体内を通る排気流が外壁面より遠ざかる方向に流れるように傾斜した主整流板を、ベース部に設けるとともに、この主整流板の室外側となる前記開口部近傍に、前記主整流板より大きい形状で室外側に向けて傾斜する副整流板を設けて構成したものである。
【発明の効果】
【０００９】
以上のように、本発明は、ダクト等に接続される筒状部を設け、外壁面側に設けられるベース部と、このベース部の室外側に下方に開口部が形成されるように設けたフード部とにより形成される外壁端末換気口の本体と、前記ベース部の下端に設けた水切板と、前記開口部の近傍に設けた整流手段とを備え、この整流手段は、前記本体内を通る排気流が外壁面より遠ざかる方向に流れるように傾斜した主整流板を、ベース部に設けるとともに、この主整流板の室外側となる前記開口部近傍に、前記主整流板より大きい形状で室外側に向けて傾斜する副整流板を設けて構成したものであるので、排気風量の大小に関わらず効率良く整流され、その結果として、外壁面の汚れが軽減できる。
【図面の簡単な説明】
【００１０】
【図１】本発明の前提例１の外壁端末換気口の設置状態を示す断面図
【図２】同外壁端末換気口の斜視図
【図３】同外壁端末換気口を室外に設け、室内に換気装置を設けた構成図
【図４】本発明の前提例２の外壁端末換気口の斜視図
【図５】本発明の実施の形態１の外壁端末換気口の設置状態を示す断面図
【図６】本発明の前提例３の外壁端末換気口の設置状態を示す断面図
【図７】同外壁端末換気口の斜視図
【図８】本発明の前提例４の外壁端末換気口の設置状態を示す断面図
【図９】同外壁端末換気口の斜視図
【図１０】本発明の実施の形態２の外壁端末換気口の斜視図
【図１１】同他の外壁端末換気口の斜視図
【図１２】同他の外壁端末換気口の斜視図
【図１３】同他の外壁端末換気口の斜視図
【図１４】従来の外壁端末換気口の換気フードの設置状態を示す断面図
【図１５】同外壁端末換気口の換気フードの下面図
【発明を実施するための形態】
【００１１】
以下、本発明の実施の形態について図面を参照しながら説明する。
【００１２】
（前提例１）
図１〜図３に示すように、建物の室内に設けた換気装置１から室外に向けて設けられたダクト２の端部に接続される筒状部３を設け、壁部４の外壁面５側に設けられるベース部６と、ベース部６の室外側に、下方に開口部７が形成されるように設けたフード部８とにより形成される外壁端末換気口の本体９と、本体９の開口部７近傍に設けられる整流手段１０とを備え、整流手段１０を本体９内を通る排気流が外壁面５より遠ざかる方向に傾斜した主整流板１１を、筒状部３から開口部７に至る間のベース部６に設け、ベース部６の下端には水切板１２を設け構成する。
【００１３】
上記構成において、換気装置１からダクト２を介して送られてきた室内の汚染空気は、本体９内に入り本体９の開口部７近傍に設けた整流手段１０を形成する外壁面５より遠ざかる方向に傾斜した主整流板１１により、本体９の開口部７から排出される排気流は、外壁面５より遠ざかる方向に排出される。
【００１４】
このように実施の形態１の発明によれば、ダクト２等に接続される筒状部３を設け、外壁面５側に設けられるベース部６と、このベース部６の室外側に下方に開口部７が形成されるように設けたフード部８とにより形成される外壁端末換気口の本体９と、本体９の開口部７近傍に設けられる整流手段１０とを備え、整流手段１０を本体９内を通る排気流が外壁面５より遠ざかる方向に傾斜した主整流板１１により構成したので、室内に設けられる換気装置１からダクト２を介して排出される室内の汚染空気が本体９内に送られ、本体９内部の高静圧の状態で外壁面５から遠ざかる方向に整流するように本体９の開口部７近傍に設けている整流手段１０の主整流板１１によって整流され、外壁面５に向かい流れる汚染空気が少なくなり、外壁面５の汚染度が軽減できることとなる。
【００１５】
また、整流手段１０を、主整流板１１をベース部６に設け構成したので、筒状部３を通り排出される室内の汚染空気は、外壁面５側に設けられるベース部６に設けられている主整流板１１により、室外側に向かい効率的に反壁面側に整流されて外壁面５の汚れが軽減されることとなる。
【００１６】
（前提例２）
図４に示すように、整流手段１０Ａを、主整流板１１Ａを複数個に分割し構成する。
【００１７】
上記構成においては、本体９Ａ内に送られた排気流は、主整流板１１Ａが分割されることにより、主整流板１１Ａの全体の面積が減少するとともに、主整流板１１Ａ間に空気流路が形成されることによって、主整流板１１Ａによる排気抵抗が軽減され排気効率が低下するのを緩和することができることとなる。
【００１８】
（実施の形態１）
図５に示すように、整流手段１０Ｂをベース部６Ａに設けられる主整流板１１Ｂと、主整流板１１Ｂの室外側となるフード部８側の本体９Ｂの開口部７近傍に、主整流板１１Ｂより大きい形状で室外側に向けて傾斜する副整流板１３を設け構成する。
【００１９】
上記構成においては、本体９Ｂ内において、筒状部３から排出される汚染空気は、強風量時には、その大半がフード部８の内壁に沿ってフード部８下方の開口部７から排出されることとなるが、ベース部６Ａに設けた主整流板１１Ｂと、主整流板１１Ｂより大きな副整流板１３を合わせて設けることにより、フード部８の外壁面５側に流れようとする空気流が副整流板１３により屋外側に向け整流され排気風量の大小に関らず効率良く整流され外壁面５の汚れを軽減できることとなる。
【００２０】
（前提例３）
図６および図７に示すように、整流手段１０Ｃを、複数の副整流板１３Ａを格子状に設けた格子枠部１４に主整流板１１Ｃと一体に設けて構成する。
【００２１】
上記構成においては、フード部８下方の開口部７に格子状の副整流板１３Ａと格子枠部１４に設けた主整流板１１Ｃにより整流手段１０Ｃを形成していることにより、筒状部３よりフード部８内に送られた汚染空気は格子状に設けた副整流板１３Ａにより室外側に向け斜め下方に排出されるとともに、ベース部６に沿い流れる排気流は格子枠部１４に設けた主整流板１１Ｃにより整流され、排気風量の大小に関係なく効率良く整流手段１０Ｃにより整流され、外壁面５の汚れが軽減されるとともに、副整流板１３Ａが格子状に形成されていることにより、換気運転の停止時において、鳥や大きな虫などがフード部８内を通り室内に侵入することが防止されることとなる。
【００２２】
（前提例４）
図８および図９に示すように、整流手段１０Ｄを大きな通気口１５を形成した通気枠部１６に主整流板１１Ｄを設けて形成し、通気口１５を覆う網状のネット１７を重ねて構成する。
【００２３】
上記構成においては、整流手段１０Ｄの主整流板１１Ｄによって、フード部８内に送られた汚染空気は室外側に向け斜め下方に排出され外壁面５の汚れが軽減されるとともに、通気口１５に設けた網状のネット１７により、換気運転停止時に鳥や虫が室内に侵入するのが防止できることとなる。
【００２４】
（実施の形態２）
図１０に示すように、複数に分割した主整流板１１Ｅを設けた整流手段１０Ｅを取付手段１８のねじ１９により本体９Ｃの開口部近傍に着脱自在に取り付けて構成する。
【００２５】
上記構成においては、整流手段１０Ｅを着脱自在とすることによって、取付手段１８により整流手段１０Ｅを取り外すことが可能となり、本体９Ｃ内の掃除が容易となって掃除性の向上を図ることができるとともに、筒状部（図示せず）に防火ダンパーを搭載したものにおいては、温度ヒューズの交換等のメンテナンス性も向上することができることとなる。
【００２６】
なお、実施の形態６では整流手段１０Ｅとして複数に分割した主整流板１１Ｅを設けた場合について説明したが、整流手段としては、図１１に示すように大きな副整流板１３を設けた場合や、図１２に示すように格子状の副整流板１３Ａを設けた場合、または図１３に示すように網状のネット１７Ａを設けた場合においても同様の作用効果をもたらすものである。
【産業上の利用可能性】
【００２７】
室内の天井または壁に設けられる空気調和機用の吹出口に、主整流板および副整流板を設けることにより、空気調和機で調和された冷気または暖気を所望の方向に整流して送風する用途にも適用できる。
【符号の説明】
【００２８】
２      ダクト
３      筒状部
５      外壁面
６      ベース部
６Ａ    ベース部
７      開口部
８      フード部
９      本体
９Ｂ    本体
９Ｃ    本体
１０    整流手段
１０Ａ  整流手段
１０Ｂ  整流手段
１０Ｃ  整流手段
１０Ｄ  整流手段
１０Ｅ  整流手段
１１    主整流板
１１Ａ  主整流板
１１Ｂ  主整流板
１１Ｃ  主整流板
１１Ｄ  主整流板
１３    副整流板
１３Ａ  副整流板
１４    格子枠部
１５    通気口
１６    通気枠部
１７    ネット
【図１】
0004811052.tif 000002
【図２】
0004811052.tif 000003
【図３】
0004811052.tif 000004
【図４】
0004811052.tif 000005
【図５】
0004811052.tif 000006
【図６】
0004811052.tif 000007
【図７】
0004811052.tif 000008
【図８】
0004811052.tif 000009
【図９】
0004811052.tif 000010
【図１０】
0004811052.tif 000011
【図１１】
0004811052.tif 000012
【図１２】
0004811052.tif 000013
【図１３】
0004811052.tif 000014
【図１４】
0004811052.tif 000015
【図１５】
0004811052.tif 000016